(57)【要約】【課題】各種操作に用いられるタッチパネルおよびこれを用いた電子機器に関し、二点を押圧した際の検出精度が向上するものを提供することを目的とする。【解決手段】上導電層２２と下導電層２５には複数の孔として長孔２２Ａ、２５Ａを設け、上導電層２２の所定長あたりの抵抗値は上電極２３Ａ、２３Ｂに対し直交方向が平行方向よりも大きく、下導電層２５の所定長あたりの抵抗値は下電極２６Ａ、２６Ｂに対し直交方向が平行方向よりも大きくしたことにより、二点を押圧した際の検出精度を向上させるのに適したタッチパネル３０を得ることができる。【選択図】図１
2012083941.tif 000002
【特許請求の範囲】
【請求項１】
光透過性の上基板と、前記上基板の下面に形成した上導電層と、前記上導電層の対辺に形成した一組の上電極と、前記上電極の下方に備えた光透過性の下基板と、前記下基板の上面に形成され前記上電極と空隙を設けて配置される下導電層と、前記下導電層の対辺に前記上電極と直交して形成された一組の下電極を備え、前記上導電層と前記下導電層には複数の孔が設けられ、前記上導電層の所定長あたりの抵抗値は上電極に対し直交方向が平行方向よりも大きく、前記下導電層の所定長あたりの抵抗値は下電極に対し直交方向が平行方向よりも大きいタッチパネル。
【請求項２】
前記上導電層に設けられた複数の孔の間隔は、前記上電極と平行方向の桟部の幅より前記上電極と直交方向の導路部の幅が広く、前記下導電層に設けられた複数の孔の間隔は、前記下電極と平行方向の桟部の幅より前記下電極と直交方向の導路部の幅が広い請求項１記載のタッチパネル。
【請求項３】
請求項１記載のタッチパネルと、上電極および下電極に電気的に接続された制御回路を備え、上導電層と下導電層が二点で接触した際に、前記上導電層の前記二点間の区間抵抗と前記下導電層の前記二点間の区間抵抗とが並列接続して前記上電極または前記下電極で生じる電圧と、上導電層と下導電層が一点で接触した際の前記上電極または前記下電極で生じる電圧との差分から、前記制御回路が前記二点間の距離を算出する電子機器。
【発明の詳細な説明】
【技術分野】
【０００１】
本発明は、主に液晶ディスプレイなどの表示素子の上面に配置され、操作者により操作が行われるタッチパネルおよびこれを用いた電子機器に関するものである。
【背景技術】
【０００２】
近年、携帯電話や電子カメラ等の各種電子機器の高機能化や多様化が進むに伴い、液晶ディスプレイの上面に光透過性のタッチパネルを装着し、このタッチパネルを通して下面の液晶ディスプレイの表示を見ながら、指やペン等でタッチパネルを押圧操作することによって、電子機器に対し様々な操作を行うものが増えており、二点の押圧位置が検出可能なものが提案されている。
【０００３】
このような従来のタッチパネルについて、図７を用いて説明する。なお、この図面は構成を判り易くするために、部分的に寸法を拡大して表している。
【０００４】
図７は従来のタッチパネルの断面図であり、同図において、光透過性の上基板１の下面に光透過性かつ導電性で略矩形状の上導電層２がほぼ全面に設けられ、上導電層２の左右両端に一対の上電極３Ａ、３Ｂが形成されている。
【０００５】
また、光透過性の下基板４の上面には、光透過性かつ導電性で略矩形状の下導電層５がほぼ全面に設けられており、上電極３Ａ、３Ｂと直交する前後方向に一対の下電極（図示せず）が各々形成されている。なお、下導電層５の上面には絶縁樹脂によって、複数のドットスペーサ（図示せず）が所定間隔で形成されている。
【０００６】
そして、上基板１と下基板４とが、略額縁状のスペーサ６の上下面または片面に塗布形成された接着剤（図示せず）によって、各々の外周が貼り合わされ、上導電層２と下導電層５が所定の空隙を空けて対向するようにして、タッチパネル１０が構成されている。
【０００７】
そして、このように構成されたタッチパネル１０は、液晶ディスプレイ１１の上方に配置されて電子機器に装着されると共に、一対の上電極３Ａ、３Ｂと下電極が電子機器の制御回路（図示せず）に電気的に接続される。
【０００８】
以上の構成において、タッチパネル１０を用いた電子機器において、操作者が上基板１の上面の二点を押圧したとする。このとき、押圧された二点で上導電層２と下導電層５が接触する。
【０００９】
ここで、制御回路は、上導電層２における二点間の抵抗と、下導電層５における二点間の抵抗とが並列に接続されることによって上電極３Ａの電位が変化した変化量から二点間の距離を推定するなどして、それぞれの位置を検出するものであった。
【００１０】
そして、例えばタッチパネル１０に対し、操作者が親指と人差指を接触させながら間隔を広げた場合に、制御回路が、親指と人差指の接触位置に対応する部分の液晶ディスプレイ１１の表示を拡大して表示するなどの制御を液晶ディスプレイ１１に対して行うものであった。
【００１１】
なお、この出願の発明に関連する先行技術文献情報としては、例えば、特許文献１が知られている。
【先行技術文献】
【特許文献】
【００１２】
【特許文献１】特開平８−２４１１６１号公報
【発明の概要】
【発明が解決しようとする課題】
【００１３】
しかしながら、上記従来のタッチパネルにおいては、操作者が押圧する二点間の距離が近いと、並列に接続される下導電層５における二点間の抵抗の影響が小さく、二点を押圧したことが検出されない場合や、検出精度が劣化する場合が生じるという課題があった。
【００１４】
本発明は、このような従来の課題を解決するものであり、二点を押圧した際の検出精度が向上するタッチパネルおよびこれを用いた電子機器を提供することを目的とする。
【課題を解決するための手段】
【００１５】
上記目的を達成するために、本発明の請求項１記載の発明は、上導電層と下導電層には複数の孔を設け、上導電層の所定長あたりの抵抗値は上電極に対し直交方向が平行方向よりも大きく、下導電層の所定長あたりの抵抗値は下電極に対し直交方向が平行方向よりも大きくしたことにより、二点を押圧した際の検出精度を向上させるのに適したタッチパネルを得ることができるという作用を有するものである。
【００１６】
また、請求項２記載の発明は、請求項１記載のタッチパネルにおいて、上導電層に設けられた複数の孔の間隔は、上電極と平行方向の桟部の幅より上電極と直交方向の導路部の幅が広く、下導電層に設けられた複数の孔の間隔は、下電極と平行方向の桟部の幅より下電極と直交方向の導路部の幅が広く構成したもので、導路部の方が桟部より電流が流れやすくなるため、方向による抵抗値の差が顕著に現れるため、二点を押圧した際の検出精度を向上させるのに、さらに適したタッチパネルを得ることができるという作用を有するものである。
【００１７】
また、請求項３記載の発明は、請求項１記載のタッチパネルと、上電極および下電極に電気的に接続された制御回路を備え、上導電層と下導電層が二点で接触した際に、上導電層の二点間の区間抵抗と下導電層の二点間の区間抵抗とが並列接続して上電極または下電極で生じる電圧と、上導電層と下導電層が一点で接触した際の上電極または下電極で生じる電圧との差分から、制御回路が二点間の距離を算出するため、請求項１記載のタッチパネルを用いて押圧された二点の検出精度が向上する電子機器を得ることができるという作用を有するものである。
【発明の効果】
【００１８】
以上のように本発明によれば、二点を押圧した際の検出精度が向上するタッチパネルおよびこれを用いた電子機器を実現することができるという有利な効果が得られる。
【図面の簡単な説明】
【００１９】
【図１】本発明の一実施の形態によるタッチパネルの分解斜視図
【図２】同タッチパネルを用いた電子機器の断面図
【図３】同タッチパネルの要部拡大図
【図４】同タッチパネルを用いた電子機器の検出動作の概念図
【図５】同タッチパネルを用いた電子機器の検出動作の概念図
【図６】同タッチパネルの他の実施の形態を説明する図
【図７】従来のタッチパネルの断面図
【発明を実施するための形態】
【００２０】
以下、本発明の実施の形態について、図１〜図６を用いて説明する。
【００２１】
なお、これらの図面は構成を判り易くするために、部分的に寸法を拡大して表している。
【００２２】
（実施の形態）
図１は本発明の一実施の形態によるタッチパネルの分解斜視図、図２は同タッチパネルを用いた電子機器の断面図であり、同図において、上基板２１は、ガラスやポリエチレンテレフタレートやポリエーテルサルホン、ポリカーボネート等の光透過性のフィルム、アクリル等の光透過性の樹脂で形成されている。
【００２３】
この上基板２１の下面には、酸化インジウム錫や酸化錫等の光透過性で導電性の材料で形成された上導電層２２がスパッタリング法や真空蒸着法などにより形成されている。
【００２４】
そして、上導電層２２の左右両端に銀をペースト状にしたものやカーボンを印刷するなどして、導電体で一対の上電極２３Ａ、２３Ｂが形成されている。
【００２５】
また、下基板２４は、上基板２１と同様にガラスやポリエチレンテレフタレートやポリエーテルサルホン、ポリカーボネート等の光透過性のフィルム、アクリル等の光透過性の樹脂で形成されている。なお、下基板２４の材料は上基板２１と同じ材料であっても、異なっていても良い。
【００２６】
そして、この下基板２４の上面には、酸化インジウム錫や酸化錫等の光透過性で導電性の材料で形成された下導電層２５がスパッタリング法や真空蒸着法などにより形成されている。
【００２７】
また、下導電層２５の上面にはエポキシやシリコーン等の絶縁樹脂によって、複数のドットスペーサ（図示せず）が所定間隔で形成されている。
【００２８】
そして、上電極２３Ａ、２３Ｂと直交して、下導電層２５の前後両端に銀をペースト状にしたものやカーボンを印刷するなどして、導電体で一対の下電極２６Ａ、２６Ｂが形成されている。
【００２９】
ここで、上導電層２２にはエッチング加工などにより複数の長孔２２Ａが、下導電層２５にも同様に複数の長孔２５Ａが所定間隔で並んで形成されている。なお、これらの長孔２２Ａと長孔２５Ａは、本発明でいう孔の一例である。
【００３０】
これらの長孔２２Ａと長孔２５Ａは、それぞれの長手方向が直交するよう設けられている。また、長孔２２Ａの長手方向が上電極２３Ａ、２３Ｂと平行に、長孔２５Ａの長手方向が下電極２６Ａ、２６Ｂと平行に設けられる。
【００３１】
また、これらの長孔２２Ａと長孔２５Ａは概ね同様の寸法と間隔で形成される。ここで、図３の要部拡大図を用いて、長孔２２Ａ、長孔２５Ａの寸法と間隔について説明する。同図（ａ）は長孔２２Ａ、同図（ｂ）は長孔２５Ａについて説明するもので、同図（ａ）で、上電極２３Ａ、２３Ｂと平行方向の桟部２２Ｂの幅ＬＣと、長孔２２Ａの短手方向の幅ＬＢとの積である（ＬＣ×ＬＢ）と、上電極２３Ａ、２３Ｂと直交方向の導路部２２Ｃの幅ＬＤと長孔２２Ａの長手方向の幅ＬＡとの積である（ＬＤ×ＬＡ）を比較したときに、（ＬＤ×ＬＡ）が（ＬＣ×ＬＢ）より大きくなるよう構成されている。
【００３２】
また、同図（ｂ）について、下電極２６Ａ、２６Ｂと平行方向の桟部２５Ｂの幅ＬＣと、長孔２５Ａの短手方向の幅ＬＢとの積となる（ＬＣ×ＬＢ）と、下電極２６Ａ、２６Ｂと直交方向の導路部２５Ｃの幅ＬＤと長孔２５Ａの長手方向の幅ＬＡとの積となる（ＬＤ×ＬＡ）を比較すると、（ＬＤ×ＬＡ）が（ＬＣ×ＬＢ）より大きくなるよう構成されている。
【００３３】
また、ここで、桟部２２Ｂ、２５Ｂの幅ＬＣより導路部２２Ｃ、２５Ｃの幅ＬＤを広く構成するのがより好ましい。これは、桟部２２Ｂ、２５Ｂより導路部２２Ｃ、２５Ｃに、さらに電流が流れやすくなり、方向による抵抗値の差が顕著になるためである。
【００３４】
そして、上基板２１と下基板２４とが、略額縁状のスペーサ２７の上下面または片面に塗布形成された接着剤（図示せず）によって、各々の外周が貼り合わされ、上導電層２２と下導電層２５が所定の空隙を空けて対向するようにして、タッチパネル３０が構成されている。
【００３５】
つまり、タッチパネル３０では、上導電層２２に複数の長孔２２Ａが所定間隔で並べて形成され、下導電層２５に複数の長孔２５Ａが所定間隔で並べて形成され、長孔２２Ａの長手方向は長孔２５Ａの長手方向と直交するように配置される。
【００３６】
そして、このように配置されることで、上導電層２２の所定長あたりの抵抗値は、上電極２３Ａ、２３Ｂと直交する左右方向の方が、平行な前後方向より大きくなる。
【００３７】
一方、下導電層２５の所定長あたりの抵抗値は、下電極２６Ａ、２６Ｂと直交する前後方向の方が、平行な左右方向より大きくなる。
【００３８】
その結果、上導電層２２と下導電層２５の所定長あたりの抵抗値は、左右方向で上導電層２２のほうが下導電層２５より大きく、前後方向で下導電層２５のほうが上導電層２２よりも大きくなる。
【００３９】
そして、このように構成されたタッチパネル３０が、液晶ディスプレイ１１の上方に配置されると共に、上電極２３Ａ、２３Ｂや下電極２６Ａ、２６Ｂから延出した配線がフレキシブルプリント基板３２として、液晶ディスプレイ１１の下方のガラスエポキシ基板などの配線基板３３の上面に設けたコネクタ３４に接続される。
【００４０】
ここで、配線基板３３の上面には、電源回路３５、マイコンなどの制御回路３６などが配置されており、制御回路３６は、コネクタ３４、電源回路３５と配線基板３３の上下面の配線を介して電気的に接続され、これにより上電極２３Ａ、２３Ｂや下電極２６Ａ、２６Ｂが制御回路３６と電気的に接続する。
【００４１】
さらに、タッチパネル３０の上面を露出させて、タッチパネル３０、液晶ディスプレイ１１、配線基板３３を筐体３８が覆って電子機器４０が構成されている。
【００４２】
このように構成された電子機器４０において、タッチパネル３０に対し、操作者が二点を押圧操作した場合の動作について、図４、図５の概念図を用いて説明する。
【００４３】
なお、例えば所定長あたりの抵抗値は、左右方向で上導電層２２が下導電層２５の４倍、前後方向では下導電層２５が上導電層２２の４倍になるよう、長孔２２Ａ、２５Ａを構成したものとする。
【００４４】
ここで、制御回路３６が行う二点検出のための動作手順は従来のタッチパネルで二点検出を行っていた場合と概ね同様である。しかしながら、上導電層２２、下導電層２５の左右方向と前後方向の抵抗値が違うため、検出精度が向上する。
【００４５】
次に左右方向の点Ａ、点Ｂを押圧した場合の検出動作について、図４を用いて説明し、前後方向の点Ｄ、点Ｅを押圧した場合の検出動作について、図５を用いて説明する。
【００４６】
まず、左右方向の二点を押圧した場合の検出動作について、図４を用いて説明する。
【００４７】
同図において、参照抵抗Ｒｒｅｆは電源回路３５と上電極２３Ａ間に接続される抵抗値、区間抵抗Ｒ１ａは上導電層２２での上電極２３Ａ−点Ａ間、区間抵抗Ｒ１ｂは点Ａ−点Ｂ間、区間抵抗Ｒ１ｃは点Ｂ−上電極２３Ｂ間の抵抗値である。
【００４８】
また、接触抵抗Ｒ２は上導電層２２と下導電層２５との間の接触抵抗、区間抵抗Ｒ２ｂは下導電層２５での点Ａ−点Ｂ間の抵抗値である。
【００４９】
ここで、一点を押圧した場合の上電極２３Ａの電圧を電圧Ｖ１ａ、二点を押圧した場合の上電極２３Ａの電圧を電圧Ｖ１ｂとすると、制御回路３６は電圧Ｖ１ａと電圧Ｖ１ｂの差分を算出し、これから点Ａ−点Ｂ間の距離を推定する。
【００５０】
ここで、電圧Ｖ１ａは、（参照抵抗Ｒｒｅｆ）と（区間抵抗Ｒ１ａ＋Ｒ１ｂ＋Ｒ１ｃ）の分圧比から算出される。
【００５１】
また、電圧Ｖ１ｂは（参照抵抗Ｒｒｅｆ）と（区間抵抗Ｒ１ａ＋（区間抵抗Ｒ１ｂ、接触抵抗Ｒ２、区間抵抗Ｒ２ｂの合成抵抗）＋区間抵抗Ｒ１ｃ）の分圧比から算出される。
【００５２】
ここで、上導電層２２の抵抗値は下導電層２５の抵抗値に対し、左右方向で４倍になるように長孔２２Ａ、２５Ａを設けているので、上導電層２２と下導電層２５の所定長あたりの抵抗値が等しい場合に比べ、合成抵抗の低下量が大きくなる。
【００５３】
より具体的には、区間抵抗Ｒ１ｂ、Ｒ２ｂに対し接触抵抗Ｒ２が非常に小さいものと仮定すれば、上導電層２２と下導電層２５の所定長あたりの抵抗値が等しい場合の合成抵抗は区間抵抗Ｒ１ｂの１／２にしかならないが、区間抵抗Ｒ２ｂは区間抵抗Ｒ１ｂの１／４となるため、本発明での合成抵抗は区間抵抗Ｒ１ｂの１／５に低下する。
【００５４】
このように同じ距離でも低下量が増大するので分解能が上がり、点Ａ−点Ｂ間の距離を推定する精度が向上し、例えば点Ａ、点Ｂ間の距離が短い場合でも正しく推定できる。
【００５５】
さらに、制御回路３６は、下電極２６Ａの電圧Ｖ１ｃも検出しており、これにより、点Ａと点Ｂの中点となる点Ｃの位置を推定する。
【００５６】
そして、制御回路３６は、左右方向の点Ａ、点Ｂについて、点Ａ−点Ｂの中点となる点Ｃの位置と点Ａ−点Ｂ間の距離の推定結果から、二点を検出する。
【００５７】
このように、左右方向の点Ａ、点Ｂの検出について、上導電層２２、下導電層２５の左右方向と前後方向の抵抗値が違うことにより、検出精度が向上するものとなっている。
【００５８】
次に、前後方向の二点の検出について図５を用いて説明する。
【００５９】
ここで、同図において、参照抵抗Ｒｒｅｆは電源回路３５と下電極２６Ａ間に接続される抵抗値、区間抵抗Ｒ２ｄは下導電層２５での下電極２６Ａ−点Ｄ間、区間抵抗Ｒ２ｅは点Ｄ−点Ｅ間、区間抵抗Ｒ２ｆは点Ｅ−下電極２６Ｂ間の抵抗値である。
【００６０】
また、接触抵抗Ｒ２は上導電層２２と下導電層２５との間の接触抵抗、区間抵抗Ｒ１ｅは上導電層２２での点Ｄ−点Ｅ間の抵抗値である。
【００６１】
そして、制御回路３６は、一点を押圧した場合の下電極２６Ａの電圧Ｖ２ａと、二点を押圧した場合との下電極２６Ａの電圧Ｖ２ｂの差分から点Ｄ−点Ｅ間の距離を推定している。
【００６２】
すなわち、この場合においても、区間抵抗Ｒ１ｅ、Ｒ２ｅに対し、接触抵抗Ｒ２が非常に小さいものと仮定すれば、上導電層２２と下導電層２５の所定長あたりの抵抗値が等しい場合の合成抵抗は区間抵抗Ｒ２ｅの１／２にしかならないが、区間抵抗Ｒ１ｅは区間抵抗Ｒ２ｅの例えば１／４となるため、本発明での合成抵抗は区間抵抗Ｒ２ｅの１／５に低下する。
【００６３】
このように同じ距離でも低下量が増大するので分解能が上がり、点Ｄ−点Ｅ間の距離を推定する精度が向上し、例えば点Ｄ、点Ｅ間の距離が短い場合でも正しく推定できる。
【００６４】
また、制御回路３６は、上電極２３Ａの電圧Ｖ２ｃを検出し、これから点Ｄと点Ｅの中点となる点Ｆの位置を推定し、二点の位置を検出する。
【００６５】
このように、前後方向の点Ｄ、点Ｅの検出においても、上導電層２２、下導電層２５の左右方向と前後方向の抵抗値が違うことにより、検出精度が向上するものとなっている。
【００６６】
そして、電子機器４０の操作の例としては、タッチパネル３０に対し、操作者が親指と人差指を接触させながら間隔を広げた場合、制御回路３６は二点を検出し、親指と人差指の接触位置に対応する部分の液晶ディスプレイ１１の表示を拡大して表示するものである。
【００６７】
なお、上述の説明では孔の一例として、長孔２２Ａ、２５Ａを挙げて説明したが、長手方向と短手方向がある形状の孔としては、他に例えば図６（ａ）〜（ｃ）に示す長孔５１、５２、５３の形状でも良い。ここで、同図は上導電層２２での配置を例として示しているが、長孔５１、５２、５３の長手方向は上電極２３Ａと平行である。
【００６８】
さらには、図６（ｄ）〜（ｅ）に示すような、円孔５４、正方形孔５５であっても良い。
【００６９】
ここで、円孔５４、正方形孔５５などのように長手方向と短手方向の長さが等しい場合は、上電極２３Ａ、２３Ｂと平行方向の桟部の幅ＬＣより上電極２３Ａ、２３Ｂと直交方向の導路部の幅ＬＤが広く、下電極２６Ａ、２６Ｂと平行方向の桟部の幅ＬＣより下電極２６Ａ、２６Ｂと直交方向の導路部の幅ＬＤを広く構成することで本発明が実施できる。
【００７０】
なお、制御回路３６で行う二点の検出手順については上述で説明したものに限らず、一点を押圧した場合と二点を押圧した場合の上導電層２２と下導電層２５の抵抗値から検出するものであれば良く、様々な変形が可能である。
【００７１】
なお上述の説明では、表示素子として液晶ディスプレイ１１を用いて説明したが、本発明はこれに限られるものでなく、上面に図形などを表示可能なものであれば良く、プラズマディスプレイやブラウン管を用いた場合などさまざまな変形が可能である。
【００７２】
このように本実施の形態によれば、上導電層２２と下導電層２５には複数の孔として長孔２２Ａ、２５Ａを設け、上導電層２２の所定長あたりの抵抗値は上電極２３Ａ、２３Ｂに対し直交方向が平行方向よりも大きく、下導電層２５の所定長あたりの抵抗値は下電極２６Ａ、２６Ｂに対し直交方向が平行方向よりも大きくしたことにより、二点を押圧した際の検出精度を向上させるのに適したタッチパネル３０を得ることができる。
【００７３】
また、上導電層２２に設けられた複数の孔である長孔２２Ａの間隔は、上電極２３Ａ、２３Ｂと平行方向の桟部２２Ｂの幅ＬＣより上電極２３Ａ、２３Ｂと直交方向の導路部２２Ｃの幅ＬＤが広く、下導電層２５に設けられた複数の孔である長孔２５Ａの間隔は、下電極２６Ａ、２６Ｂと平行方向の桟部２５Ｂの幅ＬＣより下電極２６Ａ、２６Ｂと直交方向の導路部２５Ｃの幅が広く構成したもので、導路部２２Ｃ、２５Ｃの方が桟部２２Ｂ、２５Ｂより電流が流れやすくなり、方向による抵抗値の差が顕著に現れるため、二点を押圧した際の検出精度を向上させるのに、さらに適したタッチパネル３０を得ることができる。
【００７４】
さらに、上導電層２２と下導電層２５が二点で接触した際に、上導電層２２の二点間の区間抵抗と下導電層２５の二点間の区間抵抗とが並列接続して上電極２３Ａまたは下電極２６Ａで生じる電圧Ｖ１ｂ、Ｖ２ｂと、上導電層２２と下導電層２５が一点で接触した際の上電極２３Ａまたは下電極２６Ａで生じる電圧Ｖ１ａ、Ｖ２ａとの差分から、制御回路３６が二点間の距離を算出するため、押圧された二点の検出精度が向上した電子機器４０を得ることができる。
【産業上の利用可能性】
【００７５】
本発明によるタッチパネルおよびこれを用いた電子機器は、二点を押圧した際の二点の検出精度が向上するものを実現することができるという有利な効果を有し、主に各種電子機器の操作用として有用である。
【符号の説明】
【００７６】
１１  液晶ディスプレイ
２１  上基板
２２  上導電層
２２Ａ、２５Ａ、５１、５２、５３  長孔
２３Ａ、２３Ｂ  上電極
２４  下基板
２５  下導電層
２６Ａ、２６Ｂ  下電極
２７  スペーサ
３０  タッチパネル
３２  フレキシブルプリント基板
３３  配線基板
３４  コネクタ
３５  電源回路
３６  制御回路
３８  筐体
４０  電子機器
５４  円孔
５５  正方形孔
【図１】
2012083941.tif 000003
【図２】
2012083941.tif 000004
【図３】
2012083941.tif 000005
【図４】
2012083941.tif 000006
【図５】
2012083941.tif 000007
【図６】
2012083941.tif 000008
【図７】
2012083941.tif 000009